(57)【要約】【課題】ガス発生器の組み立て時において、点火器の着火部が変形することなどが起こり難くなるようにする。【解決手段】クッション材（板状本体部）100は、プラスチックフォームからなる。第１面101は、内側面部105と外側面部106とを有し、内側面部105の密度（D1）と外側面部106の密度（D2）がD1＜D2であり、内側面部105の厚さが板状本体部100の厚さの50％〜100％の範囲のものである。【選択図】図１
2015147539.tif 000002
【特許請求の範囲】
【請求項１】
ガス発生剤または伝火薬が充填されたガス発生器内において壁面に対して当接して配置され、前記ガス発生剤または前記伝火薬に対する緩衝材として機能する、ガス発生器用のクッション材であって、
前記クッション材が、プラスチックフォームからなる板状本体部を有しており、
前記板状本体部が、
前記ガス発生剤または前記伝火薬に接触する第１面と前記壁面に当接される第２面を有しており、
さらに前記第１面の面積中心を含む内側面部と、前記内側面部の周囲にある外側面部を有しており、
前記外側面部が第１面から第２面まで形成され、前記内側面部が前記第１面側から前記板状本体部の厚さの５０％〜１００％の範囲に形成されているものであり、
前記内側面部の密度（Ｄ１）と前記外側面部の密度（Ｄ２）がＤ１＜Ｄ２である、ガス発生器用クッション材。
【請求項２】
ガス発生剤または伝火薬が充填されたガス発生器内において壁面に対して当接して配置され、前記ガス発生剤または前記伝火薬に対する緩衝材として機能する、ガス発生器用のクッション材であって、
前記クッション材が、プラスチックフォームからなる板状本体部を有しており、
前記板状本体部が、
前記ガス発生剤または前記伝火薬に接触する第１面と前記壁面に当接される第２面を有しており、
さらに前記第１面の面積中心を含む内側面部と、前記内側面部の周囲にある外側面部を有しており、
前記内側面部と前記外側面部が第１面から第２面まで形成されているものであり、
前記内側面部が、直線、曲線またはそれらの組み合わせからなる厚さ方向への切り込みを有しており、
前記内側面部の切り込みの深さが前記板状本体部の厚さの１０％〜９０％の範囲のものである、ガス発生器用のクッション材。
【請求項３】
前記内側面部が有している厚さ方向への切り込みが、
前記内側面部の面積中心から周辺に放射状に延ばされた複数本の切り込み、
前記内側面部内に平行に形成された複数本の切り込み、
前記内側面部内に形成された渦巻状の切り込み、
前記内側面部内に形成された格子状の切り込み、および
前記内側面部内に形成された、前記内側面部と同形状で、かつ大きさの異なる複数形状の組み合わせからなる切り込み、
から選ばれるものである、請求項２記載のガス発生器用のクッション材。
【請求項４】
ガス発生剤または伝火薬が充填されたガス発生器内において壁面に対して当接して配置され、前記ガス発生剤または前記伝火薬に対する緩衝材として機能する、ガス発生器用のクッション材であって、
前記クッション材が、プラスチックフォームからなる板状本体部を有しており、
前記板状本体部が、
前記ガス発生剤または前記伝火薬に接触する第１面と前記壁面に当接される第２面を有しており、
さらに前記第１面の面積中心を含む内側面部と、前記内側面部の周囲にある外側面部を有しており、
前記内側面部と前記外側面部が第１面から第２面まで形成されているものであり、
前記第１面が、前記内側面部と前記外側面部からなる平面を有しており、
前記第２面が、前記第１面の外側面部に対応する平面部と、前記平面部から凹んだ前記第１面の内側面部に対応する凹部を有しているものである、ガス発生器用のクッション材。
【請求項５】
ガス発生剤または伝火薬が充填されたガス発生器内において壁面に対して当接して配置され、前記ガス発生剤または前記伝火薬に対する緩衝材として機能する、ガス発生器用のクッション材であって、
前記クッション材が、プラスチックフォームからなる板状本体部を有しており、
前記板状本体部が、
前記ガス発生剤または前記伝火薬に接触する第１面と前記壁面側に位置する第２面を有しており、
さらに前記第１面の面積中心を含む内側面部と、前記内側面部の周囲にある外側面部を有しており、
前記内側面部と前記外側面部が第１面から第２面まで形成されているものであり、
前記第１面が、前記内側面部と前記外側面部からなる平面を有しており、
前記第２面が、前記第１面の外側面部に対応する平面部と、前記平面部から突き出された前記第１面の内側面部に対応する凸部からなり、
前記内側面部と前記外側面部が第１面から第２面まで形成されているものであり、
前記内側面部の密度（Ｄ１）と前記外側面部の密度（Ｄ２）がＤ１≦Ｄ２であり、
さらに前記板状本体部に支持部材が組み合わされており、
前記支持部材が、
環状支持部と、前記環状支持部の穴から垂設された筒状支持部を有しており、
前記環状支持部が、前記板状本体部の第２面側の平面部に当接され、前記筒状支持部が前記板状本体部の第２面側の凸部の周壁面に当接されているものである、ガス発生器用のクッション材。
【請求項６】
前記内側面部の密度（Ｄ１）が０．０７〜０．２ｇ／ｃｍ3であり、前記外側面部の密度（Ｄ２）が０．２〜０．３５ｇ／ｃｍ3である、請求項１〜５のいずれか１項に記載のガス発生器用クッション材。
【請求項７】
前記板状本体部が円形であり、前記内側面部が円形であり、前記外側面部が環状である、請求項１〜６のいずれか１項に記載のガス発生器用クッション材。
【請求項８】
請求項１〜７のいずれか１項に記載のガス発生器用のクッション材を使用した、ハウジング内に前記クッション材を含む所要部品が収容配置されているガス発生器であって、
前記ハウジングの底面において、着火部を含む点火器本体がカラー部材で包囲され、前記カラー部材から前記着火部が突き出された構造の点火器が固定されており、
前記ハウジング内には、前記点火器の少なくとも着火部を包み込むようにしてカップ部材が配置されており、
前記カップ部材の開口部側が前記ハウジング底面側に位置しており、前記カップ部材の底面に前記クッション材の第２面が当接されており、前記カップ部材内部の前記クッション材と前記点火器を除いた空間内に伝火薬またはガス発生剤が充填されており、
前記点火器の着火部の円形頂面と前記ハウジングの軸方向に正対する位置に前記クッション材の内側面部が位置している、ガス発生器。
【請求項９】
請求項１〜７のいずれか１項に記載のガス発生器用のクッション材を使用した、ハウジング内に前記クッション材を含む所要部品が収容配置されているガス発生器であって、
前記ハウジングの底面において、着火部を含む点火器本体がカラー部材で包囲され、前記カラー部材から前記着火部が突き出された構造の点火器が固定されており、
前記ハウジングの天井面に前記クッション材の第２面が当接されており、
前記ハウジング内の前記クッション材と前記点火器を除いた空間内にガス発生剤が充填されており、
前記点火器の着火部の円形頂面と前記ハウジングの軸方向に正対する位置に前記クッション材の内側面部が位置している、ガス発生器。
【請求項１０】
前記点火器の着火部の円形頂面の面積（ａ１）と前記クッション材の内側面部の面積（ａ２）が、ａ２≧ａ１の関係を満たしている、請求項８または９記載のガス発生器。
【発明の詳細な説明】
【技術分野】
【０００１】
本発明は、車輌に搭載され人員拘束装置などに使用されるガス発生器用のクッション材と、それを使用したガス発生器に関するものである。
【背景技術】
【０００２】
ガス発生器は、ガス源としてのガス発生剤が燃焼室内に充填され、前記ガス発生剤の点火手段の一要素としての伝火薬が点火手段室内に充填されているものが汎用されている。
これらの燃焼室や点火手段室には、燃焼室の壁面との間でガス発生剤が擦れて粉化すること、伝火薬と点火手段室の壁面との間で伝火薬が擦れて粉化することを抑制するためのクッション材が配置されている。
【０００３】
特許文献１の図１に示すガス発生器では、ハウジング１１内に配置された第２燃焼室カップ４１内（第２燃焼室３５）には、底面４１ｂにクッション部材５０が配置され、開口部側４１ａに第２点火器カラー２６と第２点火器２７からなる第２点火手段２５が収容され、残部空間に第２ガス発生剤１８が充填されている。
【０００４】
図１に示すガス発生器を組み立てるときには、第２燃焼室カップ４１の開口部４１ａから、第２ガス発生剤１８が充填された第２燃焼室３５内に第２点火手段２５（第２点火器２７）を着火部側から押し込んでいく。
このとき、第２ガス発生剤１８と第２点火器２７には押し込み作業に伴う荷重（圧力）が掛かることになることから、前記荷重（圧力）により第２ガス発生剤１８が部分的に崩壊したり、第２点火器２７の着火部が変形したりすることがないようにするため、ガス発生剤や着火部への前記荷重（圧力）を減少させる手段を付与することが望ましい。しかし、特許文献１には、前記の荷重（圧力）軽減手段については何も記載されていない。
【先行技術文献】
【特許文献】
【０００５】
【特許文献１】特開２０１１−２０７３４１号公報
【発明の概要】
【発明が解決しようとする課題】
【０００６】
本発明は、ガス発生剤や伝火薬が充填された充填室内に点火器を押し込んで行くときにも、前記点火器の着火部が変形したり、ガス発生剤や伝火薬が崩壊したりし難くなるガス発生器用のクッション材と、それを使用したガス発生器を提供することを課題とする。
【課題を解決するための手段】
【０００７】
請求項１の発明は、
ガス発生剤または伝火薬が充填されたガス発生器内において壁面に対して当接して配置され、前記ガス発生剤または前記伝火薬に対する緩衝材として機能する、ガス発生器用のクッション材であって、
前記クッション材が、プラスチックフォームからなる板状本体部を有しており、
前記板状本体部が、
前記ガス発生剤または前記伝火薬に接触する第１面と前記壁面に当接される第２面を有しており、
さらに前記第１面の面積中心を含む内側面部と、前記内側面部の周囲にある外側面部を有しており、
前記外側面部が第１面から第２面まで形成され、前記内側面部が前記第１面側から前記板状本体部の厚さの５０％〜１００％の範囲に形成されているものであり、
前記内側面部の密度（Ｄ１）と前記外側面部の密度（Ｄ２）がＤ１＜Ｄ２である、ガス発生器用クッション材を提供する。
【０００８】
請求項１の発明のガス発生器用のクッション材は、ガス発生器内において、ガス発生剤が充填された燃焼室の壁面（例えば、底面または天面）に配置され、または伝火薬（または伝火薬としても機能するガス発生剤）が充填された点火手段室の壁面（例えば、底面または天面）に配置されることで、前記壁面とガス発生剤や伝火薬との間で緩衝材として機能するものである。
請求項１の発明のガス発生器用のクッション材は、板状本体部自体がクッション材となるものであるほか、前記板状本体部と他の部材と組み合わせてクッション材となるものも含まれる。
【０００９】
クッション材の板状本体部となるプラスチックフォームは、公知のガス発生器で使用しているものと同じ素材を使用することができ、例えば、特開２０１１−２０７３４１号公報の段落番号００２５に記載されているポリウレタンフォームなどを使用することができる。
【００１０】
クッション材の板状本体部は、ガス発生器内に配置したとき、ガス発生剤または伝火薬に接触する面が第１面となり、ガス発生器内の壁面（例えば、底面または天面）に当接される面が第２面となる。ここで「ガス発生器内の壁面」は、ガス発生器のハウジングの内壁面、ガス発生器内に配置されたカップ部材、筒状部材と蓋部材の組み合わせからなる部材が有する壁面である。
クッション材の板状本体部は、前記第１面の面積中心を含む内側面部と、前記内側面部の周囲にある外側面部とを有している。
【００１１】
クッション材の板状本体部の形状は、当接されるガス発生器内の壁面（例えば、底面または天面）と同形状であるか、または近似した形状であることが好ましいが、異なる形状であってもよい。
内側面部の形状や大きさは、ガス発生器に取り付ける点火器の着火部の大きさに対応して決めることができる。
内側面部の形状は、円形、楕円形、多角形（好ましくは正多角形）にすることができ、外側面部は残部の形状（様々な形状の環）になる。好ましくは円形である。
クッション材の板状本体部は、公知のガス発生器に適用するときは、厚さは３〜１０ｍｍ、直径は１５〜２８ｍｍにすることができる。
【００１２】
内側面部の密度（Ｄ１）と外側面部の密度（Ｄ２）はＤ１＜Ｄ２の関係を満たしている。
Ｄ１／Ｄ２の比率は０．５〜０．９５が好ましい。
【００１３】
外側面部は第１面から第２面まで形成されている。
内側面部は、前記板状本体部の厚さの５０％〜１００％の範囲に形成されている。５０％のときは第１面から板状本体部の半分の厚さまで内側面部が形成されており、１００％のときは第１面から第２面まで連続して内側面部が形成されていることを示している。
【００１４】
請求項１の発明のクッション材は、上記のＤ１＜Ｄ２の関係を満たしていることから、ガス発生剤が充填された燃焼室の底面（または天面）や、伝火薬が充填された点火手段室の底面（または天面）に配置したときには、次のように作用する。
ガス発生剤を充填された燃焼室内に点火器を着火部側から押し込んで取り付けるとき、または伝火薬が充填された点火手段室内に点火器を着火部側から押し込んで取り付けるとき、ガス発生剤や伝火薬を介して底面に配置されたクッション材が押されると、内側面部が外側面部よりも厚さ方向に撓むように変形し易くなるため、点火器の着火部とクッション材の間でガス発生剤や伝火薬に加えられる荷重が内側面部において分散され、低減される。
このようなクッション材の内側面部による荷重分散作用によって、点火器の着火部の変形が生じ難くなるほか、伝火薬やガス発生剤が部分的に崩壊することも起こり難くなる。
【００１５】
請求項２の発明は、
ガス発生剤または伝火薬が充填されたガス発生器内において壁面に対して当接して配置され、前記ガス発生剤または前記伝火薬に対する緩衝材として機能する、ガス発生器用のクッション材であって、
前記クッション材が、プラスチックフォームからなる板状本体部を有しており、
前記板状本体部が、
前記ガス発生剤または前記伝火薬に接触する第１面と前記壁面に当接される第２面を有しており、
さらに前記第１面の面積中心を含む内側面部と、前記内側面部の周囲にある外側面部を有しており、
前記内側面部と前記外側面部が第１面から第２面まで形成されているものであり、
前記内側面部が、直線、曲線またはそれらの組み合わせからなる厚さ方向への切り込みを有しており、
前記内側面部の切り込みの深さが前記板状本体部の厚さの１０％〜９０％の範囲のものである、ガス発生器用のクッション材を提供する。
【００１６】
請求項２の発明のクッション材は、内側面部が、直線、曲線またはそれらの組み合わせからなる厚さ方向への切り込みを有していることが特徴であり、他はＤ１＜Ｄ２を除いては請求項１の発明のクッション材と同じにすることができる。
請求項２の発明のガス発生器用のクッション材は、板状本体部自体がクッション材となるものであるほか、前記板状本体部と他の部材と組み合わせてクッション材となるものも含まれる。
なお、内側面部の密度（Ｄ１）と外側面部の密度（Ｄ２）は、Ｄ１≧Ｄ２とＤ１≦Ｄ２のいずれでもよいが、Ｄ１≦Ｄ２が好ましい。
切り込みは、荷重が掛からない状態で切り込まれているものでもよいし、第１面側に荷重が掛かったときに開裂して切り込みが生じるようにできる点線状の切り込みでもよい。
【００１７】
板状本体部の内側面部に入っている厚さ方向への切り込みは、直線、曲線またはそれらの組み合わせからなるものである。
前記内側面部の切り込みは、前記内側面部に対して圧力を加えていないときは目視で確認できない程度のものであり、前記内側面部に対して圧力を加えたときは幅方向に押し広げられるように変形できるものである。
切り込みの深さは、板状クッション材の厚さの１０％〜９０％の範囲であり、好ましくは３０〜８０％の範囲であり、より好ましくは３５〜６５％の範囲である。
【００１８】
板状本体部の第１面の内側面部に入っている厚さ方向への切り込みは、次のような形態にすることができるが、これらに限定されるものではない。
前記内側面部の面積中心から周辺に放射状に延ばされた複数本の切り込み、
前記内側面部内に平行に形成された複数本の切り込み、
前記内側面部内に形成された渦巻状の切り込み、
前記内側面部内に形成された格子状の切り込み、および
前記内側面部内に形成された、前記内側面部と同形状で、かつ大きさの異なる複数形状の組み合わせからなる切り込み（例えば、内側面部が円形であるときは、直径の異なる複数の同心円の組み合わせからなる切り込み）、
から選ばれるもの、さらには上記各形態の切り込みを適宜組み合わせた切り込みにすることができる。
【００１９】
請求項２の発明のクッション材は、板状本体部の内側面部に形成された厚さ方向への切り込みを有していることから、ガス発生剤が充填された燃焼室の底面（または天面）や、伝火薬が充填された点火手段室の底面（または天面）に配置したときには、次のように作用する。
ガス発生剤が充填された燃焼室内に点火器を着火部側から押し込んで取り付けるとき、または伝火薬が充填された点火手段室内に点火器を着火部側から押し込んで取り付けるとき、ガス発生剤や伝火薬を介して底面に配置されたクッション材が押されると、内側面部の切り込みが幅方向に押し広げられ、そこにガス発生剤や伝火薬が入り込むため、点火器の着火部とクッション材の間でガス発生剤や伝火薬に加えられる荷重が内側面部において分散され、低減される。
このようなクッション材の内側面部による荷重分散作用によって、点火器の着火部の変形が生じ難くなるほか、伝火薬やガス発生剤が部分的に崩壊することも起こり難くなる。
【００２０】
請求項４の発明は、
ガス発生剤または伝火薬が充填されたガス発生器内において壁面に対して当接して配置され、前記ガス発生剤または前記伝火薬に対する緩衝材として機能する、ガス発生器用のクッション材であって、
前記クッション材が、プラスチックフォームからなる板状本体部を有しており、
前記板状本体部が、
前記ガス発生剤または前記伝火薬に接触する第１面と前記壁面に当接される第２面を有しており、
さらに前記第１面の面積中心を含む内側面部と、前記内側面部の周囲にある外側面部を有しており、
前記内側面部と前記外側面部が第１面から第２面まで形成されているものであり、
前記第１面が、前記内側面部と前記外側面部からなる平面を有しており、
前記第２面が、前記第１面の外側面部に対応する平面部と、前記平面部から凹んだ前記第１面の内側面部に対応する凹部を有しているものである、ガス発生器用のクッション材を提供する。
【００２１】
請求項４の発明のクッション材は、板状本体部の第２面において、第１面の内側面部に対応する位置に凹部を有していることを除いては請求項１のクッション材と同じにすることができる。
請求項４の発明のガス発生器用のクッション材は、板状本体部自体がクッション材となるものであるほか、前記板状本体部と他の部材と組み合わせてクッション材となるものも含まれる。
但し、内側面部の密度（Ｄ１）と外側面部の密度（Ｄ２）は、Ｄ１≦Ｄ２とすることができる。
【００２２】
板状本体部は、第１面の内側面部から凹部の底面までの厚さ（Ｔ１）と第１面の外側面部から第２面の平面部までの厚さ（Ｔ２）は、Ｔ１＜Ｔ２である。
Ｔ１とＴ２の比率（Ｔ１／Ｔ２）は、０．２〜０．８の範囲が好ましく、０．４〜０．６の範囲がより好ましい。
【００２３】
請求項４の発明のクッション材は、板状本体部の内側面部の厚さ（Ｔ１）が外側面部の厚さ（Ｔ２）よりも小さくなっており（Ｔ１＜Ｔ２）、内側面部の第２面側には凹部空間が存在していることから、ガス発生剤が充填された燃焼室の底面や、伝火薬が充填された点火手段室の底面に配置したときには、次のように作用する。
ガス発生剤が充填された燃焼室内に点火器を着火部側から押し込んで取り付けるとき、または伝火薬が充填された点火手段室内に点火器を着火部側から押し込んで取り付けるとき、ガス発生剤や伝火薬を介して底面に配置されたクッション材が押されると、クッション材の内側面部が第１面側から第２面側に撓むように変形し易くなることから、点火器の着火部とクッション材の間でガス発生剤や伝火薬に加えられる荷重が内側面部において分散され、低減される。
このようなクッション材の内側面部による荷重分散作用によって、点火器の着火部の変形が生じ難くなるほか、伝火薬やガス発生剤が部分的に崩壊することも起こり難くなる。
【００２４】
請求項５の発明は、
ガス発生剤または伝火薬が充填されたガス発生器内において壁面に対して当接して配置され、前記ガス発生剤または前記伝火薬に対する緩衝材として機能する、ガス発生器用のクッション材であって、
前記クッション材が、プラスチックフォームからなる板状本体部を有しており、
前記板状本体部が、
前記ガス発生剤または前記伝火薬に接触する第１面と前記壁面側に位置する第２面を有しており、
さらに前記第１面の面積中心を含む内側面部と、前記内側面部の周囲にある外側面部を有しており、
前記内側面部と前記外側面部が第１面から第２面まで形成されているものであり、
前記第１面が、前記内側面部と前記外側面部からなる平面を有しており、
前記第２面が、前記第１面の外側面部に対応する平面部と、前記平面部から突き出された前記第１面の内側面部に対応する凸部からなり、
前記内側面部と前記外側面部が第１面から第２面まで形成されているものであり、
前記内側面部の密度（Ｄ１）と前記外側面部の密度（Ｄ２）がＤ１≦Ｄ２であり、
さらに前記板状本体部に支持部材が組み合わされており、
前記支持部材が、
環状支持部と、前記環状支持部の穴から垂設された筒状支持部を有しており、
前記環状支持部が、前記板状本体部の第２面側の平面部に当接され、前記筒状支持部が前記板状本体部の第２面側の凸部の周壁面に当接されているものである、ガス発生器用のクッション材を提供する。
【００２５】
請求項５のクッション材の板状本体部は、第２面において、第１面の内側面部に対応する位置に凸部を有していること、内側面部の密度（Ｄ１）と外側面部の密度（Ｄ２）がＤ１≦Ｄ２であること、支持部材を使用していることを除いては請求項１のクッション材の板状本体部と同じにすることができる。
【００２６】
第１面は、互いに同一平面を形成している内側面部と外側面部からなる。
第２面は、前記第１面の外側面部に対応する平面部と、前記平面部から突き出された前記第１面の内側面部に対応する凸部からなる。
このため、内側面部の厚さ（Ｔ１）と外側面部の厚さ（Ｔ２）はＴ１＞Ｔ２の関係を満たしている。
Ｔ１／Ｔ２は、１．２〜２．０が好ましく、１．３〜１．８がより好ましい。
【００２７】
内側面部の密度（Ｄ１）と外側面部の密度（Ｄ２）はＤ１≦Ｄ２の関係を満たしている。
Ｄ１とＤ２は、Ｄ１＜Ｄ２が好ましく、Ｄ１／Ｄ２の比率は０．５〜０．９５が好ましい。
【００２８】
支持部材は、プラスチックフォームからなる板状本体部よりも硬い材料からなるものであり、合成樹脂などからなる可燃性のものでもよいし、金属、セラミックスなどからなる不燃性のものでもよい。
支持部材は、板状本体部の第２面側の平面部と凸部の周壁面に当接されている。平面部は第１面の外側面部に対応しており、凸部は第１面の内側面部に対応している。
このため、内側面部の厚さ（Ｔ１）と外側面部の厚さ（Ｔ２）がＴ１＞Ｔ２の関係を満たしており、かつ内側面部の密度（Ｄ１）と外側面部の密度（Ｄ２）がＤ１≦Ｄ２の関係を満たしていることから、外側面部と比べ、内側面部のクッション性が良いのでより厚さ方向に撓み易くなる。
【００２９】
請求項５のクッション材は、上記した構造を有していることから、ガス発生剤が充填された燃焼室の底面や、伝火薬が充填された点火手段室の底面に配置したときには、次のように作用する。
ガス発生剤が充填された燃焼室内に点火器を着火部側から押し込んで取り付けるとき、または伝火薬が充填された点火手段室内に点火器を着火部側から押し込んで取り付けるとき、ガス発生剤や伝火薬を介して底面に配置されたクッション材が押されると、クッション材の内側面部が第１面側から第２面側に撓むように変形し易くなることから、点火器の着火部とクッション材の間でガス発生剤や伝火薬に加えられる荷重が内側面部において分散され、低減される。
このようなクッション材の内側面部による荷重分散作用によって、点火器の着火部の変形が生じ難くなるほか、伝火薬やガス発生剤が部分的に崩壊することも起こり難くなる。
【００３０】
上記した各発明のクッション材においては、内側面部の密度（Ｄ１）は、０．０７〜０．２ｇ／ｃｍ3が好ましく、外側面部の密度（Ｄ２）は、０．２〜０．３５ｇ／ｃｍ3が好ましい。
【００３１】
上記した各発明のクッション材においては、板状本体部が円形であり、前記内側面部が円形であり、前記外側面部が環状であるものが好ましい。
【００３２】
請求項８の発明は、
請求項１〜７のいずれか１項に記載のガス発生器用のクッション材を使用した、ハウジング内に前記クッション材を含む所要部品が収容配置されているガス発生器であって、
前記ハウジングの底面において、着火部を含む点火器本体がカラー部材で包囲され、前記カラー部材から前記着火部が突き出された構造の点火器が固定されており、
前記ハウジング内には、前記点火器の少なくとも着火部を包み込むようにしてカップ部材が配置されており、
前記カップ部材の開口部側が前記ハウジング底面側に位置しており、前記カップ部材の底面に前記クッション材の第２面が当接されており、前記カップ部材内部の前記クッション材と前記点火器を除いた空間内に伝火薬またはガス発生剤が充填されており、
前記点火器の着火部の円形頂面と前記ハウジングの軸方向に正対する位置に前記クッション材の内側面部が位置している、ガス発生器を提供する。
【００３３】
請求項８のガス発生器は、ハウジング内に配置されたカップ部材内部が点火手段室または燃焼室となるものであり、伝火薬またはガス発生剤が充填され、点火器が収容されている。
点火器は、着火部を含む点火器本体が必要に応じて樹脂を介してカラー部材で包囲され、前記カラー部材から前記着火部が突き出された構造の点火器であるが、公知のガス発生器で使用されているものと同じである。
例えば、特許文献１（特開２０１１−２０７３４１号公報）の図１に示されている、第１点火器カラー２２と第１点火器２３からなる第１点火手段２１、第２点火器カラー２６と第２点火器２７からなる第２点火手段２５（段落番号００１７）を使用することができ、同公報の図５に示されている、カラー２２６に取り付けられた点火器２２５を使用することができる。
【００３４】
カップ部材の底面には、上記した各発明のクッション材が、第１面が伝火薬またはガス発生剤と接触し、第２面がカップ部材の底面（または天面）に当接された状態で配置されている。
クッション材は、点火器の着火部の円形頂面とハウジングの軸方向に正対する位置に内側面部が位置するように配置されている。
【００３５】
ガス発生器を組み立てるとき、底面（または天面）にクッション材が配置され、伝火薬またはガス発生剤が充填されたカップ部材の開口部から点火器を押し込んでいく。
このとき、点火器の着火部の円形頂面とハウジングの軸方向に正対する位置に内側面部が位置しているため、上記したクッション材の内側面部による荷重分散作用が発揮される。
このようなクッション材の内側面部による荷重分散作用によって、点火器の着火部の変形が生じ難くなるほか、伝火薬やガス発生剤が部分的に崩壊することも起こり難くなる。
【００３６】
請求項９の発明は、
請求項１〜７のいずれか１項に記載のガス発生器用のクッション材を使用した、ハウジング内に前記クッション材を含む所要部品が収容配置されているガス発生器であって、
前記ハウジングの底面において、着火部を含む点火器本体がカラー部材で包囲され、前記カラー部材から前記着火部が突き出された構造の点火器が固定されており、
前記ハウジングの天井面に前記クッション材の第２面が当接されており、
前記ハウジング内の前記クッション材と前記点火器を除いた空間内にガス発生剤が充填されており、
前記点火器の着火部の円形頂面と前記ハウジングの軸方向に正対する位置に前記クッション材の内側面部が位置している、ガス発生器を提供する。
【００３７】
請求項９のガス発生器は、ハウジング内部が燃焼室となるものであり、ガス発生剤が充填され、点火器が収容されている。
ハウジングの底面（または天面）には、上記した各発明のクッション材が、第１面がガス発生剤と接触し、第２面がハウジング底面（または天面）に当接された状態で配置されている。
クッション材は、点火器の着火部の円形頂面とハウジングの軸方向に正対する位置に内側面部が位置するように配置されている。
【００３８】
ガス発生器を組み立てるとき、底面にクッション材が配置され、ガス発生剤が充填されたハウジングの天面側の開口部（点火器を固定するための天面の開口部）から点火器を押し込んでいく。
このとき、点火器の着火部の円形頂面とハウジングの軸方向に正対する位置に内側面部が位置しているため、上記したクッション材の内側面部による荷重分散作用が発揮される。
このようなクッション材の内側面部による荷重の分散作用によって、点火器の着火部の変形が生じ難くなるほか、伝火薬やガス発生剤が部分的に崩壊することも起こり難くなる。
【００３９】
上記したガス発生器においては、点火器の着火部の円形頂面の面積（ａ１）とクッション材の内側面部の面積（ａ２）が、ａ２≧ａ１の関係を満たしていることが好ましい。
ａ２＞ａ１であるとき、ａ２／ａ１は１．１〜１．５が好ましく、１．１〜１．３がより好ましい。
【発明の効果】
【００４０】
本発明のクッション材を使用して組み立てたガス発生器は、クッション材の荷重分散作用によって、点火器の着火部の変形が生じ難くなるほか、伝火薬やガス発生剤が部分的に崩壊することも起こり難くなる。
このため、ガス発生器の出力を含む性能が安定することから、製品としての信頼性も高められる。
【図面の簡単な説明】
【００４１】
【図１】（ａ）はクッション材の第１面側の斜視図、（ｂ）は（ａ）の側面図。
【図２】（ａ）〜（ｅ）は、別実施形態であるクッション材の第１面からの平面図。
【図３】（ａ）はさらに別実施形態であるクッション材の厚さ方向の断面図、（ｂ）はさらに別実施形態であるクッション材の厚さ方向の断面図、
【図４】（ａ）はクッション材で使用する板状本体部の第２面側の斜視図、（ｂ）は（ａ）の厚さ方向の断面図。
【図５】（ａ）は図４の板状本体部を使用したクッション材の厚さ方向の断面図、（ｂ）は（ａ）とは異なる実施形態であるクッション材の厚さ方向の断面図。
【図６】図１のクッション材の取り付け構造を説明するためのガス発生器の部分断面図。
【図７】図５（ａ）のクッション材の取り付け構造を説明するためのガス発生器の部分断面図。
【図８】図１のクッション材を使用したガス発生器の軸Ｘ方向の断面図。
【発明を実施するための形態】
【００４２】
＜クッション材＞
（１）図１のクッション材
ガス発生器用のクッション材（板状本体部）100は、ポリウレタンフォームからなる円板形状のものである。
板状本体部100は、そのままガス発生器用のクッション材として使用することができる。
板状本体部100の厚さは３〜８ｍｍ、直径は１５〜２８ｍｍの範囲にすることができる。
【００４３】
板状本体部100は、ガス発生器にて使用するとき、ガス発生剤または伝火薬に接触する第１面101と、ガス発生器内の壁面に当接される第２面102を有している。
板状本体部100は、第１面101の面積中心（円の中心）を含む円形の内側面部105と、円形の内側面部105の周囲にある環状の外側面部106とを有している。
内側面部105と外側面部106は、第１面101から第２面102まで連続して形成されている。
【００４４】
図１のクッション材（板状本体部）100は、第１面101の全面に圧力が加えられたとき、Ｄ１＜Ｄ２であることから、内側面部105が外側面部106よりも大きく厚さ方向に撓むように変形することで、内側面部105に接触するガス発生剤や伝火薬への荷重が分散される。
【００４５】
（２）図２のクッション材
図２のクッション材（板状本体部）200は、ポリウレタンフォームからなる円板形状のものであり、外形は図１（ａ）、（ｂ）のクッション材（板状本体部）100と同じものである。
板状本体部200は、そのままガス発生器用のクッション材として使用することができる。
板状本体部200の厚さは３〜８ｍｍ、直径は１５〜２８ｍｍの範囲にすることができる。
【００４６】
板状本体部200は、ガス発生器にて使用するとき、ガス発生剤または伝火薬に接触する第１面201と、ガス発生器内の壁面に当接される第２面（第１面201の反対面）を有している。
板状本体部200は、第１面201の面積中心（円の中心）を含む円形の内側面部205と、円形の内側面部205の周囲にある環状の外側面部206とを有している。
内側面部205と外側面部206は、第１面201から第２面まで連続して形成されている。
【００４７】
内側面部205には、直線、曲線またはそれらの組み合わせからなる厚さ方向への切り込みが形成されている。
前記切り込みは、例えば図２（ａ）〜（ｅ）に示されているような切り込み207ａ〜207ｅにすることができる。
図２（ａ）に示されている切り込み207ａは、円形の内側面部205の面積中心から周辺に放射状に延ばされた複数本の切り込みである。
図２（ｂ）に示されている切り込み207bは、円形の内側面部205内に平行に形成された複数本の切り込みである。複数本の切り込みの内、中心を通る切り込み（直径に相当する切り込み）が最長となっている。
図２（ｃ）に示されている切り込み207cは、円形の内側面部205内に形成された渦巻状の切り込みである。
図２（ｄ）に示されている切り込み207dは、円形の内側面部205内に形成された格子状の切り込みである。
図２（ｅ）に示されている切り込み207eは、円形の内側面部205内に形成された複数の同心円からなる切り込みである。
切り込みは、図２（ａ）〜（ｅ）までの切り込みを適宜組み合わせることもでき、例えば、図２（ａ）と図２（ｅ）の切り込みを組み合わせたり、図２（ａ）と図２（ｂ）の切り込みを組み合わせたり、図２（ｂ）と図２（ｅ）の切り込みを組み合わせたりすることもできる。
内側面部205の切り込み207の深さは、板状本体部200の厚さの約５０％である。
【００４８】
図２のクッション材（板状本体部）200は、第１面201の全面に圧力が加えられたとき、内側面部205の切り込み207が幅方向に押し広げられるように変形することで、内側面部205に接触するガス発生剤や伝火薬への荷重が分散される。
【００４９】
（３）図３のクッション材
図３（ａ）のクッション材（板状本体部）300Ａは、ポリウレタンフォームからなる円板形状のものである。
板状本体部300Ａは、そのままガス発生器用のクッション材として使用することができる。
板状本体部300Ａの厚さは３〜８ｍｍ、直径は１５〜２８ｍｍの範囲にすることができる。
【００５０】
板状本体部300Ａは、ガス発生器にて使用するとき、ガス発生剤または伝火薬に接触する第１面301と、ガス発生器内の壁面に当接される第２面302を有している。
板状本体部300Ａは、第１面301の面積中心（円の中心）を含む円形の内側面部305と、円形の内側面部305の周囲にある環状の外側面部306とを有している。内側面部305と外側面部306は、互いに同一平面を形成している。
第２面302は、第１面301の外側面部306に対応する平面部308と、平面部308から凹んだ第１面301の内側面部305に対応する円板形状の凹部307を有している。
内側面部305と外側面部306は、第１面301から第２面302まで連続して形成されている。
内側面部305の厚さは3ｍｍであり、外側面部306の厚さ（板状本体部300Ａの厚さ）は6ｍｍである。
内側面部305の密度（Ｄ１）は0.07〜0.2g/cm3であり、外側面部306の密度（Ｄ２）は0.2〜0.35g/cm3である。
【００５１】
図３（ｂ）のクッション材（板状本体部）300Ｂは、図３（ａ）のクッション材（板状本体部）300Ａとは、凹部307が半球状であるほかは同じものである。
【００５２】
図３（ａ）、（ｂ）のクッション材300Ａ、300Ｂは、第１面301の全面に圧力が加えられたとき、内側面部305の第２面302側に凹部307が形成されていることから、内側面部305が第２面302側に凹むことで、内側面部305に接触するガス発生剤や伝火薬への荷重が分散される。
【００５３】
（４）図４、図５のクッション材
図４（ａ）、（ｂ）に示す板状本体部400は、ポリウレタンフォームからなる円板形状のものである。
板状本体部400は、ガス発生剤または伝火薬に接触する第１面401とガス発生器内の壁面側に位置する第２面402を有している。
板状本体部400は、第１面401の面積中心を含む円形の内側面部405と、内側面部405の周囲にある環状の外側面部406を有している。内側面部405と外側面部406は互いに同一平面を形成している。
板状本体部400は、第１面401の外側面部406に対応する平面部408と、平面部408から突き出された第１面301の内側面部305に対応する円板形状の凸部407を有している。
【００５４】
内側面部405と外側面部406は、第１面401から第２面402まで連続して形成されている。
内側面部405の厚さは6ｍｍであり、外側面部406の厚さは3ｍｍである。
内側面部405の密度（Ｄ１）は0.07〜0.2g/cm3であり、外側面部406の密度（Ｄ２）は0.2〜0.35g/cm3である。
【００５５】
図５（ａ）は、支持部材410Ａと図４に示す板状本体部400を組み合わせたクッション材450Ａである。
支持部材410Ａは、環状支持部411と、環状支持部411の穴から垂設された筒状支持部412を有している。
支持部材410Ａは、冷間圧延鋼板(SPCC)からなるものであり、板状本体部400Ａの3.9×107倍程度の密度からなるものである。
クッション材450Ａは、支持部材410Ａの環状支持部411が板状本体部400Ａの第２面側402の平面部408に当接され、支持部材410Ａの筒状支持部412が板状本体部400Ａの第２面402側の凸部407の周壁面407aに当接されているものである。
【００５６】
図５（ｂ）は、図４に示す板状本体部400の凸部407を半球状に変形させ、それに対して支持部材410Ｂを組み合わせたクッション材450Ｂである。
板状本体部400の凸部407が半球状であることから、支持部材410Ｂの筒状支持部412が球面に対応する形状になっている。
【００５７】
図５（ａ）、（ｂ）のクッション材450Ａ、450Ｂは、第１面401の全面に圧力が加えられたとき、内側面部405が外側面部406よりも厚いことと、板状本体部400Ａの第２面402が支持部材410Ａ、410Ｂで支持されていることから、内側面部405と外側面部406を比べると、内側面部405の方がより大きな圧力を吸収することができるため、内側面部405に接触する伝火薬やガス発生剤への荷重が分散される。
【００５８】
＜ガス発生器＞
（１）図６のガス発生器
図６は、ガス発生器の部分断面図であり、クッション材の取り付け構造を示したものである。
カップ部材６０は、底面６１、周面６２、開口部６４を有しており、図１に示すクッション材100が配置されている。
クッション材100は、第２面102がカップ部材底面（またはカップ部材天面）６１に当接され、周面103がカップ部材周面６２に当接されている。
【００５９】
カップ部材６０の開口部６４側には、点火器本体２３が樹脂２４を介して点火器カラー２２で包囲された電気式点火器２１（点火手段）が取り付けられている。
点火器本体２３は、着火部２３ａと導電ピン２３ｂを有しているものであり、着火部２３ａはアルミニウムからなるカップ内に着火薬が充填されているものである。
カップ部材６０内部は点火手段室（または燃焼室）７０となっており、クッション材100と電気式点火器２１を除いた空間には、図示していない伝火薬（またはガス発生剤）が充填されている。
【００６０】
点火器本体２３の中心軸とクッション材100の中心軸は同じであり、いずれの中心軸もカップ部材６０の中心軸Ｘと一致している。
このため、点火器本体２３の着火部２３ａの円形頂面２３ｃは、中心軸Ｘ方向にクッション材100の内側面部105と正対している。
円形頂面２３ａと内側面部105は同じ形状で同じ大きさであるから、円形頂面２３ａの面積（ａ１）と内側面部105の面積（ａ２）は同じである（ａ１＝ａ２）。
【００６１】
図６に示す構造のものを組み立てるときは、次のようにする。
カップ部材６０内にクッション材100を配置した後で、所要量の伝火薬（またはガス発生剤）を充填する。
その後、カップ部材開口部６４側から電気式点火器２１を押し込んで行く。このとき着火部の円形頂面２３ｃから押し込んで行くことになるため、円形頂面２３ｃと、円形頂面２３ｃとクッション材100の間にある伝火薬（またはガス発生剤）が大きな荷重を受けることになる。
しかし、クッション材100の第１面101の内、円形頂面２３ｃに正対している内側面部105が厚さ方向に大きく撓むように変形するため、円形頂面２３ｃに対するガス発生剤あるいは伝火薬による荷重が内側面部側に分散される。このため、円形頂面２３ｃを含む着火部２３ａの変形が生じ難くなるほか、伝火薬やガス発生剤が部分的に崩壊することも起こり難くなる。
【００６２】
（２）図７のガス発生器
図７は、ガス発生器の部分断面図であり、図５（ａ）に示すクッション材450Ａの取り付け構造のみを示したものである。
カップ部材６０は、図６に示すものと同じものである。
【００６３】
クッション材450Ａは、第２面402の凸部407の頂面がカップ部材底面６１に当接され、周面403がカップ部材周面６２に当接されている。
カップ部材６０には、図６と同様にして電気式点火器が収容される。
カップ部材６０の内部は、図６と同様に点火手段室（または燃焼室）となっており、クッション材450Ａと電気式点火器を除いた空間には伝火薬（またはガス発生剤）が充填される。
【００６４】
点火器本体の中心軸とクッション材450Ａの中心軸は同じであり、いずれの中心軸もカップ部材６０の中心軸Ｘと一致している。
このため、点火器本体の着火部の円形頂面は、中心軸Ｘ方向にクッション材450Ａの内側面部405と正対している。
円形頂面と内側面部405は同じ形状で、同じ大きさであるから、円形頂面の面積（ａ１）＝内側面部の面積（ａ２）となる。
【００６５】
図７に示す構造のものを組み立てるときは、次のようにする。
カップ部材６０内にクッション材450Ａを配置した後で、所要量の伝火薬（またはガス発生剤）を充填する。
その後、カップ部材開口部６４側から電気式点火器を押し込んで行く。このとき着火部の円形頂面から押し込んで行くことになるため、円形頂面と、円形頂面とクッション材450Aの間にある伝火薬（またはガス発生剤）が大きな荷重を受けることになる。
しかし、クッション材450Ａの第１面401の内、着火部頂面に正対している内側面部405が外側面部406よりも厚く、より大きな荷重分散作用を発揮するため、円形頂面２３ｃに対するガス発生剤あるいは伝火薬による荷重が内側面部側に分散される。このため、円形頂面を含む着火部の変形が生じ難くなるほか、伝火薬やガス発生剤が部分的に崩壊することも起こり難くなる。
【００６６】
（３）図８に示すガス発生器
図８に示すガス発生器１０は、特開２０１１−２０７３４１号公報の図１に示すガス発生器１０とは、クッション材の使用の有無と、使用しているクッション材が異なるほかは同じ構造のものである。
【００６７】
ガス発生器１０は、ディフューザシェル１２とクロージャシェル１３とからなるハウジング１１を有しており、ディフューザシェル１２の周面には複数のガス排出口１４が形成されている。ガス排出口１４は、作動前にシールテープ１５で内側から閉塞されている。
【００６８】
クロージャシェル１３はその底面には２つの穴が設けられ、それぞれに第１点火手段２１と第２点火手段２５が公知の方法で取り付けられている。
第１点火手段２１は、第１点火器（点火器本体）２３が樹脂２４を介して第１点火器カラー２２で包囲されたものであり、第１点火器（点火器本体）２３は、着火部２３ａ、導電ピン２３ｂを有しているものである。
第２点火手段２５は、第２点火器（点火器本体）２７が樹脂２８を介して第２点火器カラー２６で包囲されたものであり、第２点火器（点火器本体）２７は、着火部２７ａ、導電ピン２７ｂを有しているものである。
【００６９】
ハウジング１１内部には、筒状のフィルタ４５が配置されており、その内部には第１燃焼室３１が形成されている。
第１燃焼室３１には第１ガス発生剤（公知の組成のガス発生剤）１６が充填され、さらに伝火薬室３３を形成するカップ部材３２が配置されている。カップ部材３２は、高さ方向への外径が変化した形状のものであるが、図６、図７で示すような外径が均一のものでもよい。
カップ部材３２内には、カップ部材６０を使用した図６と同様にして図１に示すクッション材100が配置されているが、クッション材100に代えて、図２、図３、図５に示すクッション材200、300Ａ、300Ｂ、450Ａ、450Ｂを使用することもできる。
【００７０】
伝火薬室３３には、公知の組成の伝火薬として機能するガス発生剤１７が充填されている。そして第１燃焼室３１と伝火薬室３３は、第１連通孔３４で連通される。
【００７１】
第１燃焼室３１には、さらに第２燃焼室カップ４１が配置され、内部に第２燃焼室３５が形成されている。
【００７２】
第２燃焼室カップ４１は、一端が開口（開口部４１ａ）し、反対端部が閉塞されている（底部４１ｂ）。開口部４１ａ側には縮径部４１ｃが形成され、底部４１ｂ側には拡径部４１ｄが形成されており、境界部に環状斜面４１ｅが形成されている。
第２燃焼室カップ４１は、前記のような高さ方向への外径が変化した形状のものであるが、図６、図７で示すような外径が均一のものでもよい。
【００７３】
第２燃焼室カップ４１は、開口部４１ａ側から第２点火器２７を覆うようにして第２点火器カラー２６に嵌め込まれている。第２燃焼室カップ４１の肉厚は均一である。
第２燃焼室カップ４１内には、カップ部材６０を使用した図６と同様にして図１に示すクッション材100が配置されており、単孔形状の第２ガス発生剤（公知の組成のガス発生剤）１８が充填されている。クッション材100に代えて、図２、図３、図５に示すクッション材200、300Ａ、300Ｂ、450Ａ、450Ｂを使用することもできる。
【００７４】
図８に示すガス発生器１０を組み立てるときには、図６に示すガス発生器の組み立て方法で説明したとおり、クッション材100による荷重分散作用によって、第１点火器（点火器本体）２３の着火部２３ａ（頂面２３ｃ）が変形したり、第２点火器（点火器本体）２７の着火部２７ａ（頂面２７ｃ）が変形したりし難くなるほか、伝火薬やガス発生剤が部分的に崩壊することも起こり難くなる。
【００７５】
本発明のクッション材を使用したガス発生器は、図８に示すようなカップ部材３２や第２燃焼室カップ４１がないものでもよい。
このようなカップ部材がないガス発生器は、図８のガス発生器１０で説明すると、ハウジング１１の第１燃焼室３１を一つの燃焼室として有しており、その燃焼室の壁面１１ａに当接した状態でクッション材100などが配置され、内部にガス発生剤と点火手段が収容されたものである。
【符号の説明】
【００７６】
100  クッション材
101  第１面
102  第２面
103  周面
105  内側面部
106  外側面部
200  クッション材
201  第１面
202  第２面
205  内側面部
206  外側面部
207a〜207e  切り込み
【図１】
2015147539.tif 000003
【図２】
2015147539.tif 000004
【図３】
2015147539.tif 000005
【図４】
2015147539.tif 000006
【図５】
2015147539.tif 000007
【図６】
2015147539.tif 000008
【図７】
2015147539.tif 000009
【図８】
2015147539.tif 000010